(57)【要約】【課題】コンポーネントキャリアに特化した再構成のための技術が開示される。【解決手段】無線送信／受信ユニット（ＷＴＲＵ）は、単一の無線リソース制御（ＲＲＣ）接続再構成要求を受信し、隣接セルが非プライマリセルよりも量だけ良いという条件で、測定報告を送信するようにＷＴＲＵを構成する測定構成情報を受信する。単一のＲＲＣ接続再構成要求は、複数のセルのそれぞれに対して個別に、物理構成情報を含む。複数のセルの一つはプライマリセルであり、複数のセルの他のセルは非プライマリセルである。【選択図】図６Ａ
2015146656.tif 000002
【特許請求の範囲】
【請求項１】
無線送信／受信ユニット（ＷＴＲＵ）であって、
単一の無線リソース制御（ＲＲＣ）接続再構成要求を受信し、前記単一のＲＲＣ接続再構成要求は、複数のセルのそれぞれに対して個別に、物理構成情報を含み、前記複数のセルの一つはプライマリセルであり、前記複数のセルの他のセルは非プライマリセルであり、
隣接セルが非プライマリセルよりもある量だけ良いという条件で、測定報告を送信するように前記ＷＴＲＵを構成する測定構成情報を受信する
ように構成された回路
を備えたＷＴＲＵ。
【請求項２】
多地点協調通信（ＣｏＭＰ）を使用して前記複数のセルと通信するように前記ＷＴＲＵを制御するように構成された処理ユニットをさらに備えた、請求項１のＷＴＲＵ。
【請求項３】
前記測定報告は、チャネル品質に関連する少なくとも一つの測定に基づく、請求項１のＷＴＲＵ。
【請求項４】
前記物理構成情報は、物理アップリンク制御チャネル（ＰＵＣＣＨ）構成または物理アップリンク共有チャネル（ＰＵＳＣＨ）構成の少なくとも一つを含む、請求項１のＷＴＲＵ。
【請求項５】
前記測定報告を送信するように構成された送信／受信要素をさらに備えた、請求項１のＷＴＲＵ。
【請求項６】
無線周波数（ＲＦ）通信を送信し、かつ受信するように構成された、前記送信／受信要素と通信するアンテナをさらに備えた、請求項５のＷＴＲＵ。
【請求項７】
無線送信／受信ユニット（ＷＴＲＵ）において実行される方法であって、前記方法は、
単一の無線リソース制御（ＲＲＣ）接続再構成要求を受信することであって、前記単一のＲＲＣ接続再構成要求は、複数のセルのそれぞれに対して個別に、物理構成情報を含み、前記複数のセルの一つはプライマリセルであり、前記複数のセルの他のセルは非プライマリセルである、ことと、
隣接セルが非プライマリセルよりも量だけ良いという条件で、測定報告を送信するように前記ＷＴＲＵを構成する測定構成情報を受信することと
を備える方法。
【請求項８】
多地点協調通信（ＣｏＭＰ）を使用して前記複数のセルと通信することをさらに備える、請求項７の方法。
【請求項９】
前記測定報告は、チャネル品質に関連する少なくとも一つの測定に基づく、請求項７の方法。
【請求項１０】
前記物理構成情報は、物理アップリンク制御チャネル（ＰＵＣＣＨ）構成または物理アップリンク共有チャネル（ＰＵＳＣＨ）構成の少なくとも一つを含む、請求項７の方法。
【請求項１１】
前記測定報告を送信することをさらに備える、請求項７の方法。
【請求項１２】
基地局であって、
単一の無線リソース制御（ＲＲＣ）接続再構成要求を送信し、前記単一のＲＲＣ接続再構成要求は、複数のセルのそれぞれに対して個別に、物理構成情報を含み、前記複数のセルの一つはプライマリセルであり、前記複数のセルの他のセルは非プライマリセルであり、
隣接セルが非プライマリセルよりもある量だけ良いという条件で、測定報告を送信するように無線送信／受信ユニット（ＷＴＲＵ）を構成する測定構成情報を送信する
ように構成された回路
を備えた基地局。
【請求項１３】
前記測定報告は、チャネル品質に関連する少なくとも一つの測定に基づく、請求項１２の基地局。
【請求項１４】
前記物理構成情報は、物理アップリンク制御チャネル（ＰＵＣＣＨ）構成または物理アップリンク共有チャネル（ＰＵＳＣＨ）構成の少なくとも一つを含む、請求項１２の基地局。
【発明の詳細な説明】
【技術分野】
【０００１】
本出願は、２００９年３月１２出願の米国特許仮出願第61/159606号の優先権を主張するものであり、完全に記載されているように参照することによって本書に組み込まれる。
【０００２】
本出願は、無線通信に関する。
【背景技術】
【０００３】
より高いデータ転送レートおよびスペクトル効率をサポートするために、新しい無線技術が導入されている。例えば、第三世代パートナーシッププロジェクト（３ＧＰＰ）ロングタームエボリューション（ＬＴＥ）システムは、３ＧＰＰリリース８（Ｒ８）に導入されている。
【０００４】
ＬＴＥダウンリンク（ＤＬ）伝送は、直交周波数分割多重アクセス（ＯＦＤＭＡ）無線インタフェースに基づき、ＬＴＥアップリンク（ＵＬ）伝送は、単一キャリア（ＳＣ）離散フーリエ変換拡散直交周波数分割多重アクセス（ＤＦＴ−Ｓ−ＯＦＤＭＡ）に基づく。ＵＬにおける単一キャリア伝送の使用は、直交周波数分割多重（ＯＦＤＭ）などのマルチキャリア伝送と比較して低いピーク対平均電力比（ＰＡＰＲ）によって動機付けられる。デプロイメント（deployment）に柔軟性を与えるために、３ＧＰＰ  Ｒ８  ＬＴＥシステムは、１．４、２．５、５、１０、１５または２０ＭＨｚのいずれかの伝送帯域幅をスケーラブルにサポートする。Ｒ８  ＬＴＥシステムは、周波数分割複信（ＦＤＤ）モード、時分割複信（ＴＤＤ）モードまたは半複信ＦＤＤモードのいずれかで動作し得る。
【０００５】
Ｒ８  ＬＴＥシステムにおいて、各無線フレーム（１０ｍｓ）は、同じ大きさの１ｍｓサブフレーム１０個から成る。各サブフレームは、それぞれが同じ大きさの０．５ｍｓタイムスロット２つから成る。１タイムスロット当たり７つまたは６つのいずれかのＯＦＤＭシンボルになり得る。１タイムスロット当たり７つのシンボルは、通常の循環プレフィックス(cyclic prefix)に使用され、１タイムスロット当たり６つのシンボルは、拡張された循環プレフィックスに使用される。Ｒ８  ＬＴＥシステム用のサブキャリア間隔は、１５ｋＨｚである。７．５ｋＨｚを使用する、代替的な狭められたサブキャリア間隔モードも実行可能である。リソースエレメント（ＲＥ）は、１つのＯＦＤＭシンボルのインターバル間で１つのサブキャリアに対応する。０．５ｍｓタイムスロット間の１２個の連続したサブキャリアは、１つのリソースブロック（ＲＢ）に相当する。従って、１タイムスロット当たり７つのシンボルでは、各ＲＢは、１２×７＝８４ＲＥから成る。ＤＬキャリアは、最小６ＲＢから最大１１０ＲＢに至るスケーラブルな数のＲＢを備え得る。これは、おおまかに１ＭＨｚから２０ＭＨｚまでのすべてのスケーラブルな伝送帯域幅に対応する。通常、共通の伝送帯域幅のセットは、（例えば、１．４、３、５、１０、または２０ＭＨｚに）指定される。ＬＴＥにおける動的スケジューリング用の時間領域の基本単位は、２つの連続したタイムスロットから成る１つのサブフレームである。いくつかのＯＦＤＭシンボル上のあるサブキャリアは、パイロット信号を時間周波数グリッドにおいて伝達するのに割り振られる。
【０００６】
Ｒ８  ＬＴＥのＤＬ方向において、無線送受信ユニット（ＷＴＲＵ）は、進化した（evolved）ノードＢ（ｅＮＢ）によって割り振られて、ＬＴＥ伝送帯域幅全域のどこにでもＷＴＲＵのデータを受信し得る。Ｒ８  ＬＴＥのＵＬ方向において、ＷＴＲＵは、ＦＤＭＡ配置で割り当てられたサブキャリアによる限定されかつ隣接する(contiguous)セットを伝送し得る。これは、単一キャリア（ＳＣ）ＦＤＭＡと呼ばれる。例えば、ＵＬにおけるすべてのＯＦＤＭ信号またはシステムの帯域幅が１から１００までの番号が付けられたサブキャリアからできている場合、第１のＷＴＲＵを割り当てて、それ自身の信号をサブキャリア１から１２上に伝送し得るし、第２のＷＴＲＵは、サブキャリア１３から２４上に伝送し得るなどである。ｅＮＢは、伝送帯域幅全域の複合ＵＬ信号を、通常複数のＷＴＲＵから同時に受信するだろうが、各ＷＴＲＵは、利用可能な伝送帯域幅のサブセットに伝送するだろう。周波数ホッピングは、ＷＴＲＵによってＵＬ伝送に適用され得る。
【０００７】
ＬＴＥベースの無線アクセスシステムの達成可能なスループットおよびカバレッジをさらに改良するために、そしてＤＬ方向において１ＧｂｐｓとＵＬ方向において５００ＭｂｐｓとのＩＭＴアドバンスト要件に合わせるために、ＬＴＥアドバンスト（ＬＴＥ−Ａ）は、現在３ＧＰＰ標準化団体で研究中である。ＬＴＥ−Ａに提案された１つの大幅な改良は、キャリア集約(carrier aggregation)および柔軟な帯域幅配置のサポートである。ＤＬおよびＵＬ伝送帯域幅がＲ８  ＬＴＥにおいて２０ＭＨｚを超す（例えば、４０ＭＨｚ）のを可能にし、利用可能なペアキャリア(paired carriers)のより柔軟な使用が可能になるだろう。例えば、Ｒ８  ＬＴＥが対称かつペアになったＦＤＤモード（例えば、ＤＬとＵＬとの両方の伝送帯域幅がそれぞれで１０ＭＨｚまたは２０ＭＨｚ）で動作するように限定されるのに対し、ＬＴＥ−Ａは、例えば、ＤＬの１０ＭＨｚをＵＬの５ＭＨｚとペアにするといった非対称構成で動作することができるだろう。さらに、複合集約伝送帯域幅(composite aggregate transmission bandwidths)は、ＬＴＥ−Ａを用いて実現可能になり得る（例えば、ＤＬの第１の２０ＭＨｚのコンポーネントキャリアと第２の１０ＭＨｚのコンポーネントキャリアとを合わせたものを、ＵＬの２０ＭＨｚのコンポーネントキャリアとペアにする）。複合集約伝送帯域幅は、必ずしも周波数領域において隣接されなくてもよい。代替的には、隣接する集約伝送帯域幅の動作も実現可能になり得る（例えば、１５ＭＨｚの第１のＤＬコンポーネントキャリア（ＣＣ）は、別の１５ＭＨｚのＤＬコンポーネントキャリアに集約されて、２０ＭＨｚのＵＬコンポーネントキャリアとペアになる）。
【０００８】
図１Ａは、不連続スペクトル集約(discontinuous spectrum aggregation)を示し、図１Ｂおよび図１Ｃは、連続スペクトル集約(continuous spectrum aggregation)を示す。ＬＴＥ  Ｒ８のＵＬ伝送フォーマットは、ＤＦＴプレコーダを使用するＤＦＴ−Ｓ  ＯＦＤＭを使用する。ＤＦＴプレコーダは、図１Ｂに示すように、帯域幅が隣接している場合に集約帯域幅（即ち、コンポーネントキャリアの全域）に適用され得る。代替的には、ＤＦＴプレコーダは、図１Ｃに示すように、コンポーネントキャリア毎（例えば、最大で１１０ＲＢまたは２０ＭＨｚ）に適用され得る。
【０００９】
図２Ａおよび図２Ｂは、ＬＴＥ  Ｒ８におけるモビリティ内の(intra-mobility)管理エンティティ（ＭＭＥ）／サービングゲートウェイのハンドオーバー手順を示す。ＬＴＥ  Ｒ８において、ハードハンドオーバーが使用され、ハンドオーバー手順は、１キャリア（即ち、１コンポーネントキャリア）に制限される。
【００１０】
ｅＮＢには、接続確立またはトラッキングエリア（ＴＡ）の最終更新のいずれかにおけるローミング制限に関する情報を含むＷＴＲＵコンテキストが提供される。（ステップ１０２）。ソースｅＮＢは、エリア制限情報に従ってＷＴＲＵ測定手順を構成する（ステップ１０４）。ソースｅＮＢによって提供される測定は、ＷＴＲＵの接続モビリティを制御する機能を支援し得る。
【００１１】
ＷＴＲＵは、例えば、システム情報、仕様などによって設定されるルールによってトリガされる測定レポートを伝送するためのアップリンク割当を得て（ステップ１０６）、ひとたびトリガされると測定レポートをソースｅＮＢに伝送する（ステップ１０８）。
【００１２】
ソースｅＮＢは、測定レポートおよび無線リソース管理（ＲＲＭ）情報に基づいてハンドオーバーの決定を行う（ステップ１１０）。ソースｅＮＢは、ステップ１１２においてハンドオーバー要求メッセージをターゲットｅＮＢに発行し、ターゲットｅＮＢにおいてハンドオーバーを準備するのに必要な情報を渡すが、その情報は、ソースｅＮＢにおけるＷＴＲＵ  Ｘ２コンテキストシグナリング基準(reference)と、ＷＴＲＵ  Ｓ１  ＥＰＣコンテキストシグナリング基準と、ターゲットセル識別子（ＩＤ）と、ＫeNBと、ソースｅＮＢ内のＷＴＲＵのセル無線ネットワーク一時識別子（Ｃ−ＲＮＴＩ）と、アクセス層（ＡＳ）−構成と、ソースセルのＥＵＴＲＡＮ無線アクセスベアラ（Ｅ−ＲＡＢ）コンテキストおよび物理レイヤＩＤと、起こり得る無線リンクの不具合（ＲＬＦ）を回復するための媒体アクセス制御（ＭＡＣ）などを含む。ＷＴＲＵ  Ｘ２／ＷＴＲＵ  Ｓ１シグナリング基準によって、ターゲットｅＮＢがソースｅＮＢおよび進化したパケットコア（ＥＰＣ）をアドレス指定できるようになる。Ｅ−ＲＡＢコンテキストは、必要な無線ネットワークレイヤ（ＲＮＬ）およびトランスポートネットワークレイヤ（ＴＮＬ）のアドレス情報と、Ｅ−ＲＡＢのサービス品質（ＱｏＳ）プロファイルとを含む。
【００１３】
ターゲットｅＮＢは、リソースがターゲットｅＮＢによって与えられ得る場合、受信されるＥ−ＲＡＢ  ＱｏＳ情報に依存する許可制御を行って、ハンドオーバーが成功する見込みを増加し得る（ステップ１１４）。ターゲットｅＮＢは、受信されるＥ−ＲＡＢ  ＱｏＳ情報に従って要求されるリソースを構成して、Ｃ−ＲＮＴＩおよび任意にはランダムアクセスチャネル（ＲＡＣＨ）プリアンブルを保存する。ターゲットセル内で使用されるＡＳ−構成は、独立して（即ち、「確立(establishment)」）指定されるか、またはソースセル内で使用されるＡＳ−構成と比較された増分（delta）（即ち、「再構成(reconfiguration)」）のいずれかに指定され得る。
【００１４】
ターゲットｅＮＢは、レイヤ１およびレイヤ２を用いてハンドオーバーを準備して、ハンドオーバー要求肯定応答をソースｅＮＢに送信する（ステップ１１６）。ハンドオーバー要求肯定応答メッセージは、ハンドオーバーを行うＲＲＣメッセージとしてＷＴＲＵに送信される透過コンテナを含む。透過コンテナは、新しいＣ−ＲＮＴＩ、および選択されるセキュリティアルゴリズム用のターゲットｅＮＢセキュリティアルゴリズム識別子を含む。透過コンテナは、個別ＲＡＣＨプリアンブル、および例えば、アクセスパラメータ、システム情報ブロック（ＳＩＢ）などの他のパラメータを任意に含み得る。ハンドオーバー要求肯定応答メッセージは、必要に応じて、順方向トンネル用のＲＮＬ／ＴＮＬ情報も含み得る。ソースｅＮＢがハンドオーバー要求肯定応答メッセージを受信すると直ぐに、またはハンドオーバーコマンドの伝送がダウンリンク内で開始されると直ぐに、データの順方向送信が開始され得る。
【００１５】
ソースｅＮＢは、ＲＲＣメッセージ（即ち、ＷＴＲＵに向かうｍｏｂｉｌｉｔｙＣｏｎｔｒｏｌＩｎｆｏｒｍａｔｉｏｎを含むＲＲＣＣｏｎｎｅｃｔｉｏｎＲｅｃｏｎｆｉｇｕｒａｔｉｏｎメッセージ）を作成して、ＲＲＣメッセージをＷＴＲＵに送信する（ステップ１１８）。ＷＴＲＵは、必要なパラメータ（即ち、新しいＣ−ＲＮＴＩ、ターゲットｅＮＢセキュリティアルゴリズム識別子、および任意には個別ＲＡＣＨプリアンブル、ターゲットｅＮＢ  ＳＩＢ等）を用いてＲＲＣＣｏｎｎｅｃｔｉｏｎＲｅｃｏｎｆｉｇｕｒａｔｉｏｎメッセージを受信し、ソースセルからデタッチして(detach)ターゲットセルに同期する（ステップ１２０）。
【００１６】
ソースｅＮＢは、バッファされた通過中の(in-transit)パケットをターゲットｅＮＢに配信し（ステップ１２２）、そしてＳＮ  ＳＴＡＴＵＳ  ＴＲＡＮＳＦＥＲメッセージをそのターゲットｅＮＢに送信し、アップリンクのパケットデータ収束プロトコル（ＰＤＣＰ）シーケンス番号（ＳＮ）のレシーバステータスおよびダウンリンクのＰＤＣＰ  ＳＮのトランスミッタステータスをＥ−ＲＡＢに伝達して、ＰＤＣＰステータス保存（即ち、無線リンク制御（ＲＬＣ）肯定応答モード（ＡＭ））が適用されるようにする（ステップ１２４）。アップリンクのＰＤＣＰ  ＳＮレシーバステータスは、少なくともそのＰＤＣＰ  ＳＮの最初に欠損した(missing)ＵＬサービスデータユニット（ＳＤＵ）を含み、そのようなＳＤＵがある場合、ＷＴＲＵがターゲットセルに再伝送する必要があるＵＬ  ＳＤＵシーケンスからの受信ステータスのビットマップを含み得る。ダウンリンクのＰＤＣＰ  ＳＮのトランスミッタステータスは、ターゲットｅＮＢが、まだＰＤＣＰ  ＳＮを有していない新しいＳＤＵに割り当て得ることを次のＰＤＣＰ  ＳＮに示す。ソースｅＮＢは、ＷＴＲＵのどのＥ−ＲＡＢも、ＰＤＣＰステータス保存で処理できない場合、このメッセージの送信を省略し得る。
【００１７】
ｍｏｂｉｌｉｔｙＣｏｎｔｒｏｌＩｎｆｏｒｍａｔｉｏｎを含むＲＲＣＣｏｎｎｅｃｔｉｏｎＲｅｃｏｎｆｉｇｕｒａｔｉｏｎメッセージを受信した後、ＷＴＲＵは、ターゲットｅＮＢと同期化を行って、個別ＲＡＣＨプリアンブルがハンドオーバーコマンドに割り振られた場合は競合しない手順に続いて、またはどの個別プリアンブルも割り振られなかった場合は競合ベースの手順に続いて、ＲＡＣＨ経由でターゲットセルにアクセスする（ステップ１２６）。
【００１８】
ターゲットｅＮＢは、ＵＬ割当およびタイミングアドバンスに応答する（ステップ１２８）。ＷＴＲＵがターゲットセルに首尾よくアクセスした時、そのＷＴＲＵは、ハンドオーバーを確認するＲＲＣＣｏｎｎｅｃｔｉｏｎＲｅｃｏｎｆｉｇｕｒａｔｉｏｎＣｏｍｐｌｅｔｅメッセージ（Ｃ−ＲＮＴＩ）をアップリンクのバッファステータスレポートと共にターゲットｅＮＢに送信して、そのＷＴＲＵに対するハンドオーバー手順が完了したことを示す（ステップ１３０）。ターゲットｅＮＢは、ハンドオーバー確認メッセージ内に送信されたＣ−ＲＮＴＩを検証する。ターゲットｅＮＢは、ようやくＷＴＲＵへのデータ送信を始めることができる。
【００１９】
ターゲットｅＮＢは、ＷＴＲＵがセルを変更したことを知らせるパス切り替えメッセージをＭＭＥに送信する（ステップ１３２）。ＭＭＥは、ユーザプレーン更新要求メッセージをサービングゲートウェイに送信する（ステップ１３４）。サービングゲートウェイは、ダウンリンクのデータパスをターゲット側に切り替え、そして古いパス上の１または複数の「エンドマーカー」パケットをソースｅＮＢに送信して、次に、そのソースｅＮＢに向けてＵ−プレーン／ＴＮＬリソースを任意に解放し得る（ステップ１３６）。
【００２０】
サービングゲートウェイは、ユーザプレーン更新応答メッセージをＭＭＥに送信する（ステップ１３８）。ＭＭＥは、パス切り替え肯定応答メッセージでパス切り替えメッセージを確認する（ステップ１４０）。ＷＴＲＵコンテキスト解放メッセージを送信することによって、ターゲットｅＮＢは、ハンドオーバーの成功をソースｅＮＢに知らせて、リソースの解放をトリガする（ステップ１４２）。ＷＴＲＵコンテキスト解放メッセージを受信すると、ソースｅＮＢは、そのＷＴＲＵコンテキストに関連する無線およびＣ−プレーンに関係するリソースを解放し得る（ステップ１４４）。データパケットは、次に、ターゲットｅＮＢ経由で伝送される。
【００２１】
上記の従来のＬＴＥ  Ｒ８ハンドオーバー手順において、ＬＴＥリリース８のハンドオーバーをサポートするように現在定義されている測定は、単一キャリアがリリース８において暗示的に想定されているので、ＬＴＥ−Ａにおけるコンポーネントキャリアの集約によるハンドオーバーをサポートするのに十分ではない。さらに、すべてのキャリアを集約するハンドオーバーは、問題となるだろう。例えば、各コンポーネントキャリアの相対的品質は、各セルと必ずしも同じとは限らないので、各コンポーネントキャリアの最適なハンドオーバー時間は、同時に起きないだろう。
【発明の概要】
【００２２】
コンポーネントキャリアに特化した再構成のための実施形態が開示される。ＷＴＲＵは、コンポーネントキャリアベースで、コンポーネントキャリア（複数可）を付加したり、除去または置き換えたりしてコンポーネントキャリアの再構成を行う。不連続受信（ＤＲＸ）および／または不連続伝送（ＤＴＸ）を、少なくとも１つのコンポーネントキャリア上で行うことが可能であり、そのコンポーネントキャリア上のＤＲＸおよび／またはＤＴＸパターンは、互いに重複しない。ランダムアクセス手順は、１つのコンポーネントキャリア上のターゲットセルにおいて行われ得るが、その間、他のコンポーネントキャリアは非アクティブである。コンポーネントキャリアに特化した再構成またはコンポーネントキャリアもしくはチャネルのハンドオーバーは、マルチポイント協調伝送（ＣｏＭＰ）に実装され得るが、その伝送では、トラフィックチャネルではなく制御チャネルが行われ得る。代替的には、トラフィックチャネルのハンドオーバーが行われ得る。
【００２３】
ＲＲＣ接続シグナリングのための実施形態も、異なるｅＮＢと同時に通信を行い得るＷＴＲＵに対してコンポーネントキャリアに特化した再構成をサポートするために開示される。
【００２４】
コンポーネントキャリアに特化した再構成の動作に対してマスター情報ブロック（ＭＩＢ）およびシステム情報ブロック（ＳＩＢ）を獲得するための実施形態も開示される。
【００２５】
コンポーネントキャリアに特化した再構成およびコンポーネントキャリアに特化した再構成におけるランダムアクセス手順をサポートする測定のための実施形態も開示される。
【図面の簡単な説明】
【００２６】
より詳細な理解は、添付図と併せて例として与えられた以下の説明から得られる。
【図１Ａ】不連続なスペクトル集約を示す図である。
【図１Ｂ】連続するスペクトル集約を示す図である。
【図１Ｃ】連続するスペクトル集約を示す図である。
【図２Ａ】ＬＴＥにおけるモビリティ内の管理エンティティ（ＭＭＥ）／サービングゲートウェイのハンドオーバー手順を示す図である。
【図２Ｂ】ＬＴＥにおけるモビリティ内の管理エンティティ（ＭＭＥ）／サービングゲートウェイのハンドオーバー手順を示す図である。
【図３】進化型ユニバーサル地上無線アクセスネットワーク（Ｅ−ＵＴＲＡＮ）を含むＬＴＥ無線通信システム／アクセスネットワークを示す図である。
【図４】ＷＴＲＵ、ｅＮＢ、およびＭＭＥ／Ｓ−ＧＷを含むＬＴＥ無線通信システムの例示的なブロックダイアグラムである。
【図５】異なる２つのセルのコンポーネントキャリアに対する異なるセルパターンを示す図である。
【図６Ａ】一実施形態に従った例示的なコンポーネントキャリアに特化したハンドオーバーを示す図である。
【図６Ｂ】一実施形態に従った例示的なコンポーネントキャリアに特化したハンドオーバーを示す図である。
【図７Ａ】別の実施形態に従った別の例示的なコンポーネントキャリアに特化したハンドオーバーを示す図である。
【図７Ｂ】別の実施形態に従った別の例示的なコンポーネントキャリアに特化したハンドオーバーを示す図である。
【図８】一実施形態に従った例示的なコンポーネントキャリア毎のＤＴＸ／ＤＲＸ動作を示す図である。
【図９】別の実施形態に従った別の例示的なコンポーネントキャリア毎のＤＴＸ／ＤＲＸ動作を示す図である。
【図１０Ａ】一実施形態に従ったＣｏＭＰが実装される時の例示的なコンポーネントキャリアに特化したハンドオーバーを示す図である。
【図１０Ｂ】一実施形態に従ったＣｏＭＰが実装される時の例示的なコンポーネントキャリアに特化したハンドオーバーを示す図である。
【図１１Ａ】別の実施形態に従ったＣｏＭＰが実装される時の例示的なコンポーネントキャリアに特化したハンドオーバーを示す図である。
【図１１Ｂ】別の実施形態に従ったＣｏＭＰが実装される時の例示的なコンポーネントキャリアに特化したハンドオーバーを示す図である。
【図１２】一実施形態に従ったＲＡＣＨ手順の例示的なプロセスのフローダイアグラムを示す図である。
【発明を実施するための形態】
【００２７】
以下で言及する場合、用語「ＷＴＲＵ」は、ユーザ装置（ＵＥ）、移動局、固定または移動式加入者ユニット、ページャ、携帯電話、パーソナルデジタルアシスタント（ＰＤＡ）、コンピュータ、マシン対マシン（Ｍ２Ｍ）デバイス、センサー、または無線環境において動作可能なその他のタイプのデバイスを含むが、これに限らない。以下で言及する場合、用語「ｅＮＢ」は、ノードＢ、基地局、サイトコントローラ、アクセスポイント（ＡＳ）、または無線環境において動作可能なその他のタイプのインタフェーシングデバイスを含むが、これに限らない。
【００２８】
以下で言及する場合、用語「セル」は、１または複数のコンポーネントキャリアが伝送および／または受信され得る、および例えば、区別しやすいパイロット信号を有することによって一意的に識別され得るサイト（「セクタ」を含む）を示すのに使用される。
【００２９】
さらに、コンポーネントキャリアを除去または置き替える際は、ＷＴＲＵが接続されるセルを変更しても変更しなくてもよい。ＷＴＲＵは、複数のコンポーネントキャリア経由で受信（または伝送）し得るし、そのコンポーネントキャリアは、同じセルから受信（または同じセルに向けて伝送）しても受信しなくてもよい。ＷＴＲＵがコンポーネントキャリアのグループで構成される時、そのＷＴＲＵは、単一セルに接続され得る、または２以上のセルに接続され得る。ＷＴＲＵは、構成されたコンポーネントキャリア（例えば、アンカーコンポーネントキャリアまたは主コンポーネントキャリア）のうちの１つから接続されるセルを決定し得る。ＷＴＲＵの視点では、セルは、個々のコンポーネントキャリアまたはコンポーネントキャリアのグループと見なされ得る。
【００３０】
ＷＴＲＵは、同じｅノードＢまたは異なるｅノードＢのいずれかから複数のコンポーネントキャリアを受信し得るし、いずれの場合でもそのコンポーネントキャリアは、たとえ物理周波数帯域幅が同じでも、異なる識別子を有する異なるコンポーネントキャリアと見なされる。
【００３１】
以下で言及する場合、用語「コンポーネントキャリアの再構成」は、新しいコンポーネントキャリアを付加すること、現在構成されているコンポーネントキャリアを除去すること、および／または現在構成されているコンポーネントキャリアを新しいコンポーネントキャリアに置き換えることを含み、あるセルから別のセルへの「ハンドオーバー」（ソースセル内のあるコンポーネントキャリアを除去すること、およびターゲットセル内の新しいコンポーネントキャリアを同じまたは異なる周波数帯域幅のいずれかに付加すること）を含み得る。新しく付加されたコンポーネントキャリア（新しく切り替わったコンポーネントキャリアを含む）は、同じｅＮＢ上または異なるｅＮＢ上のいずれかに存在し得るし、コンポーネントキャリアの再構成の後でＷＴＲＵは、同じまたは異なるｅＮＢへのリンクを確立し得る。
【００３２】
実施形態が、たとえ３ＧＰＰ  ＬＴＥまたはＬＴＥ−Ａに関連する制御チャネルおよびデータチャネルに関して開示されても、その実施形態は、３ＧＰＰ  ＬＴＥまたはＬＴＥ−Ａに限定されず、現在存在するまたは将来開発されるだろうどのような無線通信技術にも適用可能であり、その技術は、３ＧＰＰ高速パケットアクセス（ＨＳＰＡ）、ｃｄｍａ２０００、ＩＥＥＥ８０２．ｘｘなどを含むが、これに限定されないことに留意すべきである。本明細書で説明される実施形態は、任意の順序または組み合わせに適用可能になり得ることも留意すべきである。
【００３３】
図３は、進化型ユニバーサル地上無線アクセスネットワーク（Ｅ−ＵＴＲＡＮ）２０５を含むＬＴＥ無線通信システム／アクセスネットワーク２００を示す。Ｅ−ＵＴＲＡＮ２０５は、数個のｅＮＢ２２０を含む。ＷＴＲＵ２１０は、ｅＮＢ２２０との通信を行う。ｅＮＢ２２０は、Ｘ２インタフェースを使用して互いにインタフェースをとる。それぞれのｅＮＢ２２０は、Ｓ１インタフェースを通じてモビリティ管理エンティティ（ＭＭＥ）／サービングゲートウェイ（Ｓ−ＧＷ）２３０とインタフェースをとる。図３では、単一のＷＴＲＵ２１０および３つのｅＮＢを示すが、有線デバイスと無線デバイスとの任意の組み合わせは、図３に描画したインタフェースを有しない、有線接続および有線ネットワークデバイスを用いない中継（例えば、Ｘ２インタフェースを有しないホームｅノードＢ（ＨｅＮＢ））を含む、無線通信システムアクセスネットワーク２００に含まれ得ることは明白にすべきである。
【００３４】
図４は、ＷＴＲＵ２１０、ｅＮＢ２２０、およびＭＭＥ／Ｓ−ＧＷ２３０を含むＬＴＥ無線通信システム３００の例示的なブロックダイアグラムである。図３に示すように、ＷＴＲＵ２１０、ｅＮＢ２２０、およびＭＭＥ／Ｓ−ＧＷ２３０は、本明細書に開示される任意の実施形態に従って、コンポーネントキャリアに特化した再構成を行うように構成される。典型的なＷＴＲＵに見られ得るコンポーネントに加えて、ＷＴＲＵ２１０は、任意にリンクされるメモリ３２２を有するプロセッサ３１６と、少なくとも１つのトランシーバ３１４と、任意によるバッテリ３２０と、アンテナ３１８とを含む。プロセッサ３１６は、本明細書に開示される任意の実施形態に従って、コンポーネントキャリアに特化した再構成を行うように構成される。トランシーバ３１４は、プロセッサ３１６およびアンテナ３１８との通信を行って、無線通信の送受信を容易にする。バッテリ３２０がＷＴＲＵ２１０に使用される場合、バッテリ３２０は、トランシーバ３１４およびプロセッサ３１６に電力供給する。
【００３５】
典型的なｅＮＢに見られ得るコンポーネントに加えて、ｅＮＢ２２０は、任意にリンクされるメモリ３１５を有するプロセッサ３１７と、トランシーバ３１９と、アンテナ３２１とを含む。プロセッサ３１７は、本明細書に開示される任意の実施形態に従って、コンポーネントキャリアに特化した再構成を行って、サポートするように構成される。トランシーバ３１９は、プロセッサ３１７およびアンテナ３２１との通信を行って、無線通信の送受信を容易にする。ｅＮＢ２２０は、任意にリンクされるメモリ３３４を有するプロセッサ３３３を含むモビリティ管理エンティティ／サービングゲートウェイ（ＭＭＥ／Ｓ−ＧＷ）２３０に接続される。
【００３６】
一実施形態に従って、ＷＴＲＵは、コンポーネントキャリアが別々に独立して付加され、除去され、または置き換えられるように、コンポーネントキャリアに特化した再構成を行い得る（即ち、コンポーネントキャリアベースでコンポーネントキャリアを付加し、除去し、または置き換える）。異なるキャリアの伝送電力は、コンポーネントキャリアからコンポーネントキャリアおよびセルからセルへの伝送とは異なって行われ得る。その状況では、異なる「セル」パターン（即ち、「セル−エッジ」パターン）が、コンポーネントキャリア周波数ごとに確立され得る。図５は、異なるコンポーネントキャリアのおおよその境界を示す。図５において、コンポーネントキャリア１Ａは、コンポーネントキャリア２Ａよりも大きい電力でエンティティＡから伝送されて、コンポーネントキャリア２Ｂは、コンポーネントキャリア１Ｂよりも大きい電力でエンティティＢから伝送され、それらは、同じまたは異なるｅＮＢ（複数可）によって制御される。コンポーネントキャリア毎の異なるセルエッジ境界は、コンポーネントキャリア１Ａ、２Ａ、１Ｂ、および２Ｂのそれぞれに対して定義され得る。その場合、ＷＴＲＵは、コンポーネントキャリア１Ａとコンポーネントキャリア２Ａの境界において同時に存在し得ないので、図示された線上のどの場所においてもすべてのセル−エッジ条件を経験し得ない。
【００３７】
Ｐ１において、ＷＴＲＵは、コンポーネントキャリア１Ａおよび２Ａに接続され得る。ＷＴＲＵがＰ１からＰ２に移動する時、そのＷＴＲＵは、コンポーネントキャリア２Ａの境界から外れて、コンポーネントキャリア２Ｂの境界内に入る。この状況では、そのＷＴＲＵがコンポーネントキャリア１Ａおよびコンポーネントキャリア２Ｂ経由でデータを受信する場合、そのＷＴＲＵは、さらに達成可能なすべてのデータ転送レートを有し得る。図５に示すような少なくとも１つのコンポーネントキャリアの接続を維持する間に、コンポーネントキャリア（複数可）のサブセットを変更するのに使用される機構は、コンポーネントキャリアに特化した再構成（またはコンポーネントキャリアに特化したハンドオーバー）という。コンポーネントキャリアを切り替える代わりに、新しいコンポーネントキャリアが付加され得るし、または現在構成されているコンポーネントキャリアは、除去もしくは別のコンポーネントキャリアと置き換えられ得る。
【００３８】
図６Ａおよび図６Ｂは、一実施形態に従った例示的なコンポーネントキャリアに特化した再構成を示す。図６Ａは、コンポーネントキャリアが再構成する前を示し、図６Ｂは、コンポーネントキャリアが再構成した後を示す。図６Ａにおいて、ＷＴＲＵ６０２は、コンポーネントキャリア１および２Ａ上のエンティティ６０４から伝送を受信する。エンティティ６０４および６０６は、同じｅＮＢまたは異なるｅＮＢによって制御され得る。コンポーネントキャリア再構成のトリガがコンポーネントキャリア２Ａに発生する時（例えば、構成された閾値によって、エンティティ６０６からのコンポーネントキャリア２Ｂの信号品質が、エンティティ６０４からのコンポーネントキャリア２Ａの信号品質よりも良くなる）、ＷＴＲＵ６０２は、コンポーネントキャリアの再構成を行うが、その再構成は、図６Ｂに示すように、ハンドオーバー手順を備えても備えなくてもよい。コンポーネントキャリアに特化した再構成の後、ＷＴＲＵ６０２は、コンポーネントキャリア１およびコンポーネントキャリア２Ｂ経由で、エンティティ６０４および６０６の２つから伝送を受信する。図６Ａおよび図６Ｂでは、ダウンリンクのコンポーネントキャリアを例として示し、再構成されたコンポーネントキャリアは、ＤＬコンポーネントキャリア、ＵＬコンポーネントキャリア、またはその両方にし得ることに留意すべきである。図６Ａおよび図６Ｂでは、２つのＤＬコンポーネントキャリアを示すが、実施形態は、任意の数のコンポーネントキャリアに適用され得ることに留意すべきである。
【００３９】
アップリンクおよびダウンリンクに対するコンポーネントキャリアに特化した再構成は、独立して行われ得る。図７Ａおよび図７Ｂは、コンポーネントキャリアに特化した再構成の別の例を示し、その再構成は、別の実施形態に従ったハンドオーバー手順を備えてもよいし備えなくてもよい。図７Ａは、コンポーネントキャリアが再構成する前を示し、図７Ｂは、コンポーネントキャリアが再構成した後を示す。図７Ａにおいて、ＷＴＲＵ７０２は、ＤＬコンポーネントキャリア１およびＵＬコンポーネントキャリア２Ａ上のエンティティ７０４から受信する。エンティティ７０４および７０６は、同じｅＮＢまたは異なるｅＮＢによって制御され得る。トリガがＵＬのコンポーネントキャリア２Ａに発生する時、ＷＴＲＵ７０２は、図７Ｂに示すように、ＵＬのコンポーネントキャリア２Ａが除去されてＵＬのコンポーネントキャリア２Ｂが付加されるように、コンポーネントキャリアの再構成を行う。ＤＬコンポーネントキャリア１は、ＤＬコンポーネントキャリア１に対してトリガが発生していないので同じ状態のままである。コンポーネントキャリアに特化した再構成（またはハンドオーバー）の後、ＷＴＲＵ７０２は、ＤＬのコンポーネントキャリア１上で受信して、ＵＬのコンポーネントキャリア２Ｂに伝送する。
【００４０】
コンポーネントキャリアに特化した再構成は、セル内で行われ得る（即ち、コンポーネントキャリアをセル内で付加し、除去し、または置き換える）。この場合、コンポーネントキャリアの再構成手順は、セル内のＵＬおよび／またはＤＬのコンポーネントキャリアのセットを変更するように行われる。この手順を使用して、ＵＬのコンポーネントキャリア（またはＵＬのコンポーネントキャリアのセット）および／またはＤＬのコンポーネントキャリア（またはＤＬのコンポーネントキャリアのセット）のいずれかをスワップし得る。これは、物理ＵＬチャネル（複数可）または物理ＤＬチャネル（複数可）（例えば、物理アップリンク共有チャネル（ＰＵＳＣＨ）／物理アップリンク制御チャネル（ＰＵＣＣＨ）または物理ダウンリンク共有チャネル（ＰＤＳＣＨ）／物理ダウンリンク制御チャネル（ＰＤＣＣＨ））がまさに、同じセル内の新しいコンポーネントキャリアに再割り当てされ得る場所のＤＬハンドオーバーまたはＵＬハンドオーバーとして行われ得る。
【００４１】
ＷＴＲＵが同じｅＮＢによって制御されるセル（セクタを含む）間の境界に置かれる時、信号強度および／またはチャネル品質基準による最適なセルは、動的に変化し得る。セルがＵＬ／ＤＬキャリアの異なるペアに割り当てられる場合、およびＷＴＲＵがＰＵＣＣＨとＰＵＳＣＨを別々に各コンポーネントキャリア上に伝送する場合、ｅＮＢは、ＰＤＣＣＨが単一コンポーネントキャリアまたは単一セル（もしくはセクタ）から受信されるか、または各コンポーネントキャリアまたはセル（もしくはセクタ）から別々に受信されるかどうかにかかわらず、両方のセル（もしくはセクタ）経由で受信されるチャネルステータスレポートおよびサウンディング基準信号（ＳＲＳ）に基づいて、ＷＴＲＵに対して最適なＵＬ／ＤＬスケジューリング決定を行い得る。
【００４２】
一実施形態に従って、重複しない不連続伝送（ＤＴＸ）および／または重複しない不連続受信（ＤＲＸ）パターンは、コンポーネントキャリアごとに定義され得る。このスキーマは、ＵＬキャリア上でＰＵＣＣＨまたはＰＵＳＣＨを同時に伝送することによって生じるＵＬ伝送のピーク対平均電力比を最小にし得る。これは、ピーク時のデータ転送レートを抑える効果があるだろうが、ＷＴＲＵおよびｅＮＢは、特に（これに限らないが）ＵＬ／ＤＬキャリアのペアが同じｅＮＢによって制御される場合に、所与の時間フレーム内の最適なコンポーネントキャリア（複数可）を選択することによって、このスキーマからさらに利益が得られる。例えば、ｅＮＢが、所与の時間フレーム内で、あるコンポーネントキャリアが異なる場所において高出力または低出力で伝送されることを知っている時（従って、コンポーネントキャリアの境界を異なる時間フレームでは異なるようにする）、ＷＴＲＵは、そのような各時間フレーム内のコンポーネントキャリア−境界に基づいたＤＴＸ／ＤＲＸに適切にスケジュールされ得る。重複しないＤＴＸ／ＤＲＸパターンはまた、チャネル品質が一般的に動的に変化し、キャリアのペア間で異なるので、たとえＵＬ／ＤＬキャリアのペアが同じセル（もしくはセクタ）内で動作されても有益になり得る。この動作モードは、ＲＲＣメッセージ（例えば、ハンドオーバーコマンドまたは他の再構成コマンド）を通じてアクティブ化され得る。
【００４３】
上記に開示されるコンポーネントキャリア毎のＤＴＸ／ＤＲＸ動作は、ＬＴＥにおける媒体アクセス制御（ＭＡＣ）レイヤで定義されるＤＴＸ／ＤＲＸ動作から分離している。上記の実施形態に従ったＤＲＸ動作では、ＷＴＲＵは、現在のＬＴＥ仕様で定義されているＭＡＣレイヤのＤＲＸパラメータ（例えば、非アクティビティタイマーなど）にかかわらず、あるコンポーネントキャリア（複数可）上である一定期間にダウンリンクチャネル（例えば、ＰＤＳＣＨ）を受信することができないかもしれない。現在のＬＴＥ仕様で説明されるＭＡＣレイヤのＤＲＸ動作は、この実施形態に従ったコンポーネントキャリア毎のＤＲＸ動作と共存し得る。その場合、ダウンリンクチャネル（例えば、ＰＤＳＣＨ）は、現在指定されているＭＡＣレイヤのＤＲＸ動作に基づいて受信されるであろうサブフレームのセットより大きいサブフレームのセットで受信されないかもしれない。
【００４４】
上記に開示されるコンポーネントキャリア毎のＤＴＸ／ＤＲＸ動作に従って、セルは、同じコンポーネントキャリア内で時分割が許可され得るし、最適なコンポーネントキャリア（複数可）を、ＷＴＲＵについて所与の時間フレーム内で選択し得る。図８は、一実施形態に従った例示的なコンポーネントキャリア毎のＤＴＸ／ＤＲＸ動作を示す。例えば、図８に示すように、偶数フレームにおいて、セルＡは、コンポーネントキャリアＣＣ１Ａに伝送し得るし、セルＢは、コンポーネントキャリアＣＣ２Ｂに伝送し得る。そして奇数フレームにおいて、セルＡは、コンポーネントキャリアＣＣ２Ａに伝送し得るし、セルＢは、コンポーネントキャリアＣＣ１Ｂに伝送し得る。ＷＴＲＵに対するＤＲＸ／ＤＴＸ期間は、所与のコンポーネントキャリアおよびセルに対するＤＲＸ／ＤＴＸ期間が、そのセルがそのコンポーネントキャリアを伝送しない時間に対応するように設定され得る。説明されたセルは、共通セルのコンポーネントキャリアに依存しないことも可能であることに留意すべきである。
【００４５】
より一般的には、コンポーネントキャリアをオンオフする代わりに、異なる時間フレームで伝送電力を変更し得る。図９は、別の実施形態に従った別の例示的なコンポーネントキャリア毎のＤＴＸ／ＤＲＸ動作を示す。例えば、偶数フレームにおいて、セルＡにおけるコンポーネントキャリアＣＣ２Ａに使用される電力は、セルＡにおけるコンポーネントキャリアＣＣ１Ａに使用される電力よりも小さくなり得るし、セルＢにおけるコンポーネントキャリアＣＣ１Ｂに使用される電力は、セルＢにおけるコンポーネントキャリアＣＣ２Ｂに使用される電力よりも小さくなり得る。そして奇数フレームにおいて、セルＡにおけるコンポーネントキャリアＣＣ１Ａに使用される電力は、セルＡにおけるコンポーネントキャリアＣＣ２Ａに使用される電力よりも小さくなり得るし、セルＢにおけるコンポーネントキャリアＣＣ２Ｂに使用される電力は、セルＢにおけるコンポーネントキャリアＣＣ１Ｂに使用される電力よりも小さくなり得る。ＷＴＲＵにおけるＤＲＸ／ＤＴＸ期間は、偶数フレームにおいてそのＷＴＲＵが、セルＡのＣＣ２Ａ内のＤＲＸ／ＤＴＸにあり、対する奇数フレームにおいてそのＷＴＲＵが、セルＢのＣＣ１Ｂ内のＤＲＸ／ＤＴＸにあるように設定され得る。
【００４６】
コンポーネントキャリアに特化した再構成（またはハンドオーバー）は、マルチポイント協調伝送（ＣｏＭＰ）が実装される場合に行われ得る。ＣｏＭＰは、複数のセルからの伝送を同時に受信または複数のセルに対する伝送を協調させ得る（協調ビームフォーミングまたは協調スケジューリングなど）および／またはＷＴＲＵ伝送が、性能を向上させてセル間の干渉を避けるまたは低減するように協調した方法で複数のセルにおいて受信され得る送受信のスキーマである。一つのＣｏＭＰスキーマに従って、スケジューリングは、異なる伝送間の干渉を制御して低減するようにセルにわたって動的に協調され得る。別のＣｏＭＰスキーマに従って、ＷＴＲＵへの伝送は、複数の伝送ポイントから同時に伝送され得るし、そのマルチポイント伝送は、地理的に分離したアンテナを有する単一のトランスミッタとして協調され得る。
【００４７】
コンポーネントキャリア集約の実装において、複数のコンポーネントキャリアに対する制御チャネル（例えば、ＰＤＣＣＨ）は、分離したメッセージに別々にコード化されて、対応する各ＤＬのコンポーネントキャリア経由で別々に伝送され得る。このスキーマは、「分離符号化分離伝送(separate coding separate transmission)」と呼ばれる。代替的には、制御チャネル（例えば、ＰＤＣＣＨ）は、分離したメッセージに別々にコード化され得るし、そのすべてのメッセージは、１つのセルから１つのＤＬのコンポーネントキャリア（ＤＬのアンカーコンポーネントキャリア）経由で一緒に伝送され得る。このスキーマは、「分離符号化統合伝送(separate coding joint transmission)」と呼ばれる。代替的には、制御チャネル（例えば、ＰＤＣＣＨ）は、１つのメッセージに一緒に符号化されて、１つのセルから１つのＤＬのコンポーネントキャリア（アンカーコンポーネントキャリア）経由で一緒に伝送され得る。これは、「統合符号化統合伝送(joint coding joint transmission)」と呼ばれる。ＤＬの共有チャネル（複数可）（例えば、ＰＤＳＣＨ（複数可））は、コンポーネントキャリア毎の複数のセルから伝送され得るし、ＵＬの共有チャネル（複数可）（例えば、ＰＵＳＣＨ（複数可））は、コンポーネントキャリア毎の複数のセルにおいて受信され得る。
【００４８】
ＣｏＭＰにおいて、統合伝送スキーマ（即ち、分離符号化統合伝送または統合符号化統合伝送）が使用される時、ＷＴＲＵは、アクティブなＣｏＭＰセット内の複数の協調するセルからＰＤＳＣＨを受信またはそのセルにＰＵＳＣＨを伝送しながら、ＰＤＣＣＨから単一セル（即ち、アンカーセル）を受信し得る。一実施形態に従って、統合伝送スキーマ（即ち、分離符号化統合伝送または統合符号化統合伝送）が使用される場合、ＰＤＣＣＨを伝達するコンポーネントキャリアは、ターゲットセルにハンドオーバーされ得るが、ＰＤＳＣＨおよび／またはＰＵＳＣＨを伝達するコンポーネントキャリア（複数可）は、そのターゲットセルにハンドオーバーされないかもしれない。非統合伝送によるＣｏＭＰの場合、すべてのＰＤＳＣＨリンクが実際にデータをＷＴＲＵに伝達し得るわけではなく、むしろ協調スケジューリングまたは協調ビームフォーミングが、セル間で使用され得る。
【００４９】
図１０Ａおよび図１０Ｂは、ＤＬのＣｏＭＰが一実施形態に従って実装される時の例示的なコンポーネントキャリアに特化した再構成（またはハンドオーバー）を示す。図１０Ａは、コンポーネントキャリアが再構成する前を示し、図１０Ｂは、コンポーネントキャリアが再構成した後を示す。図１０Ａにおいて、ＷＴＲＵ１００２は、コンポーネントキャリア１Ａおよび２Ａ上のセル１００４からと、コンポーネントキャリア１Ｂおよび２Ｂ上のセル１００６からダウンリンク伝送を受信する。セル１００４およびセル１００６は、同じｅＮＢまたは異なるｅＮＢによって制御され得る。ＷＴＲＵ１００２がコンポーネントキャリア１Ａ上のセル１００４からＰＤＣＣＨを受信するように、セル１００４は、現在アンカーセル（ＤＬおよび／またはＵＬ伝送用のＰＤＣＣＨを送信するセル）である。
【００５０】
ＷＴＲＵ１００２は、どのセルからＰＤＳＣＨ伝送を受信するかを知らないかもしれない。セル１００４内のコンポーネントキャリア１Ａに対してトリガが発生する時、図１０Ｂに示すように、ＷＴＲＵ１００２は、コンポーネントキャリア１Ａからセル１００６内のコンポーネントキャリア１ＢへのＰＤＣＣＨのハンドオーバーを行うが、ＰＤＳＣＨには行わない。図１０Ａおよび図１０Ｂは、ＤＬのＣｏＭＰにおけるハンドオーバーを例として示し、同じハンドオーバーがＵＬのＣｏＭＰにも適用され得ることに留意すべきである。非統合伝送によるＣｏＭＰの場合、図１０Ａおよび図１０Ｂに示したすべてのＰＤＳＣＨリンクが、所与の時間において実際にデータをＷＴＲＵに伝達し得るわけではなく、むしろ協調スケジューリングまたは協調ビームフォーミングが、セル間で使用され得る（例えば、所与の時間においてセル１００４がＣＣ１上に伝送し、セル１００６がＣＣ２上に伝送する）。図１０Ａおよび図１０Ｂは、チャネルをあるセルから別のセルへ切り替えることを示すが、同じセル内でも切り替えが行われ得ることに留意すべきである。
【００５１】
複数のセルからのＰＤＳＣＨ（複数可）がＷＴＲＵにおいて受信され得ない場合、そのＰＤＳＣＨに対するコンポーネントキャリアに特化したハンドオーバーも行われ得る。同様に、複数のセルにおいてＰＵＳＣＨ（複数可）を受信することができない場合、そのＰＵＳＣＨに対するコンポーネントキャリアに特化したハンドオーバーも行われ得る。代替的または付加的には、ＰＵＣＣＨ（複数可）を伝達するＵＬのアンカーコンポーネントキャリアも、ＰＤＣＣＨ（複数可）を伝達するＤＬのアンカーコンポーネントキャリアと共にＷＴＲＵ用に構成され得るし、コンポーネントキャリアに特化したハンドオーバーは、ＤＬのアンカーコンポーネントキャリアか、ＵＬのアンカーコンポーネントキャリアか、またはその両方のいずれかに対して行われ得る。
【００５２】
別の実施形態に従って、ＷＴＲＵがアクティブなＣｏＭＰセット（即ち、ＷＴＲＵがＰＤＳＣＨ伝送を受信するまたはＷＴＲＵがＰＵＳＣＨ伝送を伝送するセル）を認識している時、そのＷＴＲＵは、ＰＤＣＣＨおよび／またはＰＵＣＣＨから独立して、ＰＤＳＣＨおよび／またはＰＵＳＣＨに対するコンポーネントキャリアに特化したハンドオーバーまたは再構成を行い得る。これは、アクティブなＣｏＭＰセットがＷＴＲＵ用に変更される必要がある場合であるが、そのアクティブなＣｏＭＰセット内の現在のアンカーセル（ＵＬおよび／またはＤＬ用）は、そのＷＴＲＵがさらに同じアンカーセルからＰＤＣＣＨを受信するまたは同じアンカーセルにＰＵＣＣＨを伝送するので、変更されない。
【００５３】
図１１Ａおよび図１１Ｂは、この代替的な実施形態に従ってＤＬのＣｏＭＰが実装される時の例示的なコンポーネントキャリアに特化した再構成を示す。図１１Ａは、コンポーネントキャリアが再構成する前を示し、図１１Ｂは、コンポーネントキャリアが再構成した後を示す。図１１Ａにおいて、ＷＴＲＵ１１０２は、コンポーネントキャリア１Ａおよび２Ａ上のセル１１０４からと、コンポーネントキャリア１Ｂおよび２Ｂ上のセル１１０６からダウンリンク伝送を受信する。セル１００４、セル１００６、およびセル１１０８は、同じｅＮＢまたは異なるｅＮＢによって制御され得る。ＷＴＲＵ１１０２がコンポーネントキャリア１Ａ上のセル１１０４からＰＤＣＣＨを受信するように、セル１１０４は、現在アンカーセル（ＤＬおよび／またはＵＬ伝送用のＰＤＣＣＨを送信するセル）である。セル１００６内のコンポーネントキャリア１Ｂに対してハンドオーバーのトリガが発生する時、図１１Ｂに示すように、ＷＴＲＵ１１０２は、コンポーネントキャリア１Ｂからセル１００８内のコンポーネントキャリア１ＣへのＰＤＣＣＨのハンドオーバーを行い、その間セル１１０４は、アンカーセルのままである。図１１Ａおよび図１１Ｂは、ＤＬのＣｏＭＰにおけるハンドオーバーを例として示し、同じハンドオーバーがＵＬのＣｏＭＰにも適用され得ることに留意すべきである。図１１Ａおよび図１１Ｂは、チャネルをあるセルから別のセルへ切り替えることを示すが、同じセル内でも切り替えが行われ得ることに留意すべきである。
【００５４】
コンポーネントキャリアに特化した再構成またはハンドオーバー（即ち、同じセル内またはセル間で少なくとも１つのコンポーネントキャリアを付加し、除去し、または置き換える）をサポートするために、ＷＴＲＵは、測定をネットワークにレポートする。その測定は、チャネル品質の評価に関係する任意のタイプの測定にしてもよく、希望波受信電力（ＲＳＣＰ）、基準信号受信電力（ＲＳＲＰ）、信号対干渉雑音電力比（ＳＩＮＲ）、基準信号受信品質（ＲＳＲＱ）または同種のものを含むが、これに限らない。
【００５５】
ＷＴＲＵは、サービングセルおよび／または隣接セルのコンポーネントキャリアに特化した測定をレポートし得る（例えば、すべてのダウンリンクのコンポーネントキャリアもしくはキャリアのサブセットの測定またはサービングセルおよび／または隣接セルの最適な測定）、サービングセルおよび／または隣接セルのアンカーコンポーネントキャリアの測定、サービングセルおよび／または隣接セルのすべての集約されたダウンリンクキャリアの重み付け平均測定または同種のものをレポートし得る。
【００５６】
ＷＴＲＵは、サービングセルの測定が、予め構成された閾値による隣接セルの対応する測定よりも劣る時に、その測定をネットワークにレポートして、コンポーネントキャリアの再構成またはハンドオーバーをトリガし得る。その閾値は、構成可能とし得る。ＷＴＲＵが測定をレポートする時、そのＷＴＲＵは、測定値に従ってキャリアおよび／またはセルをソート(sort)し得る。ＷＴＲＵは、検出したコンポーネントキャリアの測定を定期的にレポートするように構成され得る。
【００５７】
スクランブルコードは、隣接セルからの信号が擬似直交性(quasi-orthogonality)を有し得るように設計され得る。この場合、コンポーネントキャリアの再構成またはハンドオーバーは、スクランブルコードのより良い直交性を示すセルに優先され得るし、スクランブルコードの直交性の基準は、ハンドオーバーに対する付加的な手段と見なされ得る。
【００５８】
ＣｏＭＰにおいて、ＷＴＲＵは、アンカーセルの測定（または一部の測定または複合測定）が、アクティブなＣｏＭＰセット内のアンカーセルでないセル（複数可）または事前定義された閾値による隣接セル内の対応する測定（複数可）よりも劣る時に、その測定（またはその測定のサブセット）をネットワークにレポートし得る。このレポートは、ＰＤＣＣＨハンドオーバーに対して使用され得る。ＷＴＲＵは、アクティブなＣｏＭＰセット内のセルの測定（または一部の測定または複合測定）が、事前定義された閾値による隣接セルの対応する測定よりも劣る時に、その測定（またはその測定のサブセット）をネットワークにレポートし得る。このレポーティングは、ＰＤＳＣＨハンドオーバーに対して使用され得る。上記の閾値は、構成可能にし得る。
【００５９】
コンポーネントキャリアに特化した再構成またはハンドオーバー（即ち、同じセル内またはセル間で少なくとも１つのコンポーネントキャリアを付加し、除去し、または置き換える）を用いて、ＷＴＲＵが、同時に２つ以上のセル／ｅＮＢに接続され得るので、それをサポートするのに適したＲＲＣシグナリングが必要である。一実施形態に従って、ソースセルとターゲットセルとの間の分割ＲＲＣ接続(split RRC connection)が提供され得る。新しい（または変調された）タイプのＲＲＣ接続再構成シグナリングは、物理チャネル構成を含んで構成され得る。ＲＲＣ接続再構成シグナリングはソースセルおよびターゲットセル用に以下の、ＰＵＣＣＨ構成、ＰＵＳＣＨ構成、サウンディング基準信号（ＳＲＳ）構成、アップリンク出力制御構成、ＰＵＣＣＨ用伝送出力制御（ＴＰＣ）−ＰＤＣＣＨ構成、ＰＵＳＣＨ用ＴＰＣ−ＰＤＣＣＨ構成、チャネル品質表示（ＣＱＩ）またはチャネルステート情報（ＣＳＩ）レポーティング構成、ＰＤＣＣＨ検索空間構成、ＤＬおよび／またはＵＬアンカーコンポーネントキャリアの割り当て、特定のプリアンブル構成の割り当て、コンポーネントキャリア毎のＤＴＸ／ＤＲＸパターン構成（例えば、ＰＵＣＣＨおよびＰＵＳＣＨ伝送が許可される場所のサブフレームのセット）または同種のものを含み得る。
【００６０】
ＲＲＣ構成は、ソースセル内のキャリアのグループおよびターゲットセル内のキャリアのグループに関して行われ得る。代替的には、ＲＲＣ構成は、ソースセルおよびターゲットセル内のコンポーネントキャリアごとに行われ得る。
【００６１】
新しいまたは変調されたＲＲＣメッセージは、さまざまなコンポーネントキャリアを含み得るし、ＷＴＲＵは、ＲＲＣメッセージで示した順序で、コンポーネントキャリアの再構成またはコンポーネントキャリアへのハンドオーバーを試みるかもしれない。ＷＴＲＵがコンポーネントキャリアの再構成または特定のコンポーネントキャリアへのハンドオーバーを首尾よく行う時、ＷＴＲＵは、そのコンポーネントキャリア経由でコンポーネントキャリアの再構成またはハンドオーバーの完了メッセージを送信し得る。ネットワーク側では、ネットワークは、事前定義された期間にＷＴＲＵ用のＲＲＣメッセージで示したコンポーネントキャリア上のリソースを、そのリソースが解放され得る後に保持し得る。
【００６２】
代替的には、特定の順序でＷＴＲＵにコンポーネントキャリアのグループを提供する代わりに、ネットワークは、ＷＴＲＵにコンポーネントキャリアの２つのグループ：１つのグループには個別ランダムアクセスチャネル（ＲＡＣＨ）プリアンブル（複数可）と、もう１つのグループには競合ベースのＲＡＣＨプリアンブル（複数可）を提供し得る。ＷＴＲＵは、ＷＴＲＵがハンドオーバーを開始したいコンポーネントキャリアを選び得る。ＷＴＲＵは、最初に個別ＲＡＣＨプリアンブル（複数可）のグループからコンポーネントキャリアを選択し得る。
【００６３】
任意には、ＲＲＣメッセージは、ハンドオーバーの不具合の場合にＷＴＲＵがフォールバック(fall back)し得るコンポーネントキャリア（複数可）を示し得る。ＲＲＣメッセージは、フォールバック用に構成されたキャリアに対する異なるセットのＲＡＣＨプリアンブルを含み得る。ハンドオーバーが失敗した場合、ＷＴＲＵは、ＲＲＣメッセージ内にリスト化されたキャリアを探して、そのキャリア上でハンドオーバーの再確立を試み得る。
【００６４】
構成およびハンドオーバー手順を簡易にするために、ソースコンポーネントキャリアのサブセットに対する構成は、ターゲットコンポーネントキャリアのサブセットに転送され、特にＵＬおよび／またはＤＬのコンポーネントキャリアのサブセットが同じセル内で切り替わるセル内の(intra-cell)コンポーネントキャリアに特化した再構成の場合に転送され得る。これは、セル間の(inter-cell)ハンドオーバーにも適用され得る。
【００６５】
ＷＴＲＵが、すでにターゲットセルにハンドオーバーされた１または複数のコンポーネントキャリアを有する場合、そのＷＴＲＵは、そのターゲットセルのＭＩＢ情報およびＳＩＢ情報をすでに取得したので、そのターゲットセルのＭＩＢ情報およびＳＩＢ情報を獲得するための余分なステップを行う必要がないかもしれない。ＷＴＲＵが、ターゲットセルにハンドオーバーされたコンポーネントキャリアを全く有しない場合、そのＷＴＲＵは、そのターゲットセルのＭＩＢ情報およびＳＩＢ情報を獲得する必要がない。
【００６６】
一実施形態に従って、ソースセルは、ハンドオーバーコマンドで、ターゲットセルのすべてのＭＩＢパラメータおよび重要なＳＩＢパラメータをＷＴＲＵに信号送信し得る。代替的には、ＷＴＲＵは、ハンドオーバーの前に、（ＲＡＣＨ、ＰＵＳＣＨ／ＰＵＣＣＨといった）アップリンク伝送を行うように要求されるターゲットセルのＭＩＢおよびすべてまたは一部のＳＩＢを獲得し得る。代替的には、ＷＴＲＵは、ハンドオーバーコマンドを受信した後であるが、ターゲットセル内でランダムアクセスを行う前に、（ＲＡＣＨ、ＰＵＳＣＨ／ＰＵＣＣＨといった）アップリンク伝送を行うように要求されるターゲットセルのＭＩＢおよびすべてまたは一部のＳＩＢを獲得し得る。代替的には、ＷＴＲＵは、ハンドオーバー手順をターゲットセルに行い得るし、ハンドオーバーが成功した後、そのＷＴＲＵは、ターゲットセルのＭＩＢおよびＳＩＢを獲得し得る。
【００６７】
コンポーネントキャリアに特化した再構成内のランダムアクセスのための実施形態が以下で開示される。ＷＴＲＵがターゲットセル内の１または数個のＵＬのコンポーネントキャリア上でランダムアクセスを行う間、そのＷＴＲＵは、ソースセル内の自身の通常の動作を継続し得る。ＷＴＲＵは、コンポーネントキャリアの再構成またはターゲットセルにハンドオーバーされる必要がある第１のコンポーネントキャリアに対するハンドオーバー手順の一部として、そのターゲットセル内でランダムアクセスを行い得る。コンポーネントキャリアの再構成または第１のコンポーネントキャリアのターゲットセルへのハンドオーバーが成功した後、ＷＴＲＵは、ターゲットセル内のＲＲＣ接続が確立されていてアップリンクのタイミングがそろっている（即ち、同期している）ので、残りのコンポーネントキャリアのターゲットセルへのハンドオーバーに対して、ターゲットセル内のランダムアクセス手順を行わないかもしれない。
【００６８】
ＷＴＲＵが単一の無線能力(capability)を有する場合に、そのＷＴＲＵは、アップリンクおよびダウンリンク動作ならびにソースセルとの接続を維持する間に、ＲＡＣＨ手順をターゲットセルに開始するために、他のコンポーネントキャリア（複数可）上でＤＲＸサイクルの非アクティビティ期間（即ち、ＤＲＸ期間の機会）を利用する(exploit)ことによって、コンポーネントキャリアに特化した再構成またはコンポーネントキャリア（複数可）のハンドオーバーを行い得る。上記に説明したように、重複しないＤＲＸおよび／またはＤＴＸパターンは、コンポーネントキャリア用に構成され得る。
【００６９】
図１２は、一実施形態に従ったＲＡＣＨ手順の例示的なプロセス１２００のフローダイアグラムを示す。説明として、ＷＴＲＵは、ダウンリンク内のキャリア１Ｄ、２Ｄ、および３Ｄに割り振られ、アップリンク内のキャリア１Ｕ、２Ｕ、および３Ｕに割り振られると仮定する。ＷＴＲＵは、ハンドオーバーコマンド（例えば、モビリティ情報を有するＲＲＣ＿ｃｏｎｎｅｃｔｉｏｎ＿Ｒｅｃｏｎｆｉｇｕｒａｔｉｏｎメッセージ）を受信する（ステップ１２０２）。そのハンドオーバーコマンドは、そのオンタイム期間中にコンポーネントキャリア１Ｄ上で受信される。重複しないＤＲＸサイクルは、コンポーネントキャリア用に構成され得るので、他のコンポーネントキャリア（即ち、キャリア２Ｄおよびキャリア３Ｄ）は、その期間中、非アクティブ（即ち、ＤＲＸの機会）になり得る。ハンドオーバーコマンドを受信した後、ＷＴＲＵは、コンポーネントキャリア２Ｄおよび３Ｄと、コンポーネントキャリア２Ｕおよび３Ｕとが非アクティブである間に、ターゲットセルと同期する（ステップ１２０４）。ＷＴＲＵは、コンポーネントキャリア２Ｄおよび３Ｄと、コンポーネントキャリア２Ｕおよび３Ｕとが非アクティブである間に、キャリア１Ｕおよびキャリア１Ｄを用いてターゲットセルにハンドオーバーするＲＡＣＨ手順を開始し得る（ステップ１２０６）。ＷＴＲＵは、キャリア２Ｄおよび３Ｄと、キャリア２Ｕおよび３Ｕとが非アクティブである間に、コンポーネントキャリア１Ｕおよびコンポーネントキャリア１Ｄを使用することによって、コンポーネントキャリアの再構成またはターゲットセルに対するハンドオーバー手順を完了し得る。代替的には、あるステップのＲＡＣＨ手順は、そのＲＡＣＨ手順に携わっていない他のキャリアのオンタイム期間よりも高い優先度が提供され得る。
【００７０】
コンポーネントキャリアに特化したＲＡＣＨ手順が失敗した場合、ＷＴＲＵは、なおも構成されているＵＬキャリア（例えば、コンポーネントキャリア２Ｕまたは３Ｕ）のうちの１つを使用したＲＲＣメッセージを用いて、ソースｅＮＢに失敗を知らせ得る。
【００７１】
コンポーネントキャリアに特化したＲＡＣＨ手順が成功した場合、ＷＴＲＵは、ソースセルになおも構成されている他のコンポーネントキャリア（複数可）を再構成するようにＷＴＲＵに要求するＲＲＣ＿Ｃｏｎｎｅｃｔｉｏｎ＿Ｒｅｃｏｎｆｉｇｕｒａｔｉｏｎをターゲットセルから受信し得る。上記で開示されるように、残りのコンポーネントキャリアを再構成する手順は、ＷＴＲＵがターゲットセルと同期されて必要な情報を取得するので、ＲＡＣＨ手順を通じて行われないかもしれない。
【００７２】
代替的には、ＷＴＲＵは、ソースセルを用いて別のキャリア（例えば、コンポーネントキャリア２Ｄ、３Ｄ、２Ｕ、３Ｕ）のサブセットを維持しながら、ターゲットセルを用いてキャリア（例えば、コンポーネントキャリア１Ｄおよび１Ｕ）のサブセットを維持し得る。
【００７３】
ＷＴＲＵがデュアル無線能力を有する場合、ＷＴＲＵは、ＤＲＸ非アクティビティを利用する必要なく一方のキャリア上でソースセルとの接続を維持しながら、キャリア（上記の例のコンポーネントキャリア１Ｄ、１Ｕ）のサブセット上のＲＡＣＨ手順をターゲットセルに開始し得る。ＷＴＲＵのデュアル無線能力では、コンポーネントキャリア上のＤＲＸパターンは、重複し得る。
【００７４】
ＰＵＣＣＨを伝達するＵＬのアンカーコンポーネントキャリアも、ＰＤＣＣＨを伝達するＤＬキャリアと同様に定義され得る。この場合、ＲＡＣＨ手順は、割り当てられたＵＬのアンカーコンポーネントキャリアに制限され得る。
【００７５】
ＷＴＲＵは、ＬＴＥ−ＡセルとＷＣＤＭＡ（登録商標）セルとの両方に同時にハンドオーバーし得る。例えば、５ＭＨｚのＬＴＥコンポーネントキャリアおよび５ＭＨｚのＷＣＤＭＡコンポーネントキャリア（またはその他の異なるシステムコンポーネントキャリア）は、集約され得る。
【００７６】
実施形態
１、ＷＴＲＵに実装されるコンポーネントキャリアに特化したコンポーネントキャリアの再構成のための方法。
【００７７】
２、コンポーネントキャリアの再構成に対するコマンドを受信することを備えることであって、前記ＷＴＲＵは、複数のコンポーネントキャリア経由で伝送するまたは受信することができることを特徴とする実施形態１の方法。
【００７８】
３、コンポーネントキャリアベースで少なくとも１つのコンポーネントキャリアを構成して少なくとも１つの新しいコンポーネントキャリアに付加し、または少なくとも１つの現在構成されているコンポーネントキャリアを除去もしくは置き換えることを備えることを特徴とする実施形態２の方法。
【００７９】
４、付加され、除去され、または置き換えられる少なくとも１つのコンポーネントキャリアは、アップリンクキャリアまたはダウンリンクキャリアのいずれかであることを特徴とする実施形態３の方法。
【００８０】
５、コンポーネントキャリア上でＤＲＸを行うことであって、前記コンポーネントキャリア上のＤＲＸパターンは、互いに重複しないことをさらに備えることを特徴とする実施形態２乃至４のいずれかにおける方法。
【００８１】
６、異なる場所と関連する前記重複しないＤＲＸパターンに従ってコンポーネントキャリア上の複数の場所から受信することをさらに備えることを特徴とする実施形態５の方法。
【００８２】
７、他のコンポーネントキャリアが非アクティブな間に１つのコンポーネントキャリア上のターゲットセルにおいてランダムアクセス手順を行うことをさらに備えることを特徴とする実施形態２乃至６のいずれかにおける方法。
【００８３】
８、コンポーネントキャリア上でＤＲＸを行うことであって、前記コンポーネントキャリア上のＤＲＸパターンは、互いに重複しないことをさらに備えることを特徴とする実施形態２乃至７のいずれかにおける方法。
【００８４】
９、少なくとも１つのコンポーネントキャリア上のＣｏＭＰアクティブセット内の複数のセルからダウンリンク伝送を受信することをさらに備えることを特徴とする実施形態２乃至８のいずれかにおける方法。
【００８５】
１０、ダウンリンク伝送および／またはアップリンク伝送に対する制御チャネルのハンドオーバーを行うことであって、前記制御チャネルは、アンカーセルから受信されることを備えることを特徴とする実施形態９の方法。
【００８６】
１１、ダウンリンクのトラフィックチャネルに対するハンドオーバーは、前記ダウンリンク伝送を前記ＣｏＭＰアクティブセット内いずれのセルからも受信することができない場合に行われることを特徴とする実施形態９乃至１０のいずれかにおける方法。
【００８７】
１２、前記ＷＴＲＵは、前記ＣｏＭＰアクティブセットを認識し、およびトラフィックチャネルに対するハンドオーバーを行うことを特徴とする実施形態９乃至１１のいずれかにおける方法。
【００８８】
１３、少なくとも１つのコンポーネントキャリア上のＣｏＭＰアクティブセット内の複数のセルにアップリンク伝送を伝送することをさらに備えることを特徴とする実施形態２乃至１２のいずれかにおける方法。
【００８９】
１４、前記アップリンク伝送を前記ＣｏＭＰアクティブセット内いずれのセルにおいても受信することができないという場合にアップリンクのトラフィックチャネルに対するハンドオーバーを行うことをさらに備えることを特徴とする実施形態１３の方法。
【００９０】
１５、少なくとも１つのコンポーネントキャリアに対する測定を行うことをさらに備えることを特徴とする実施形態２乃至１４のいずれかにおける方法。
【００９１】
１６、前記測定をレポートすることを備えることを特徴とする実施形態１５の方法。
【００９２】
１７、前記複数のコンポーネントキャリア用のパラメータを含むＲＲＣメッセージを受信することをさらに備えることを特徴とする実施形態２乃至１６のいずれかにおける方法。
【００９３】
１８、前記ＲＲＣメッセージは、個別ＲＡＣＨプリアンブルを有するコンポーネントキャリアの第１のグループおよび競合ベースのＲＡＣＨプリアンブルを有するコンポーネントキャリアの第２のグループを含み、前記ＷＴＲＵがコンポーネントキャリアを選択して前記グループのうちの１つからハンドオーバーを開始できるようにすることを特徴とする実施形態１７の方法。
【００９４】
１９、コンポーネントキャリアに特化したコンポーネントキャリアの再構成を行うためのＷＴＲＵ。
【００９５】
２０、複数のコンポーネントキャリア経由で伝送するまたは受信するためのトランシーバを備えることを特徴とする実施形態１９のＷＴＲＵ。
【００９６】
２１、コンポーネントキャリアベースで少なくとも１つのコンポーネントキャリアを構成して少なくとも１つの新しいコンポーネントキャリアに付加し、または少なくとも１つの現在構成されているコンポーネントキャリアを除去もしくは置き換えるためのプロセッサを備えることを特徴とする実施形態２０のＷＴＲＵ。
【００９７】
２２、付加され、除去され、または置き換えられる少なくとも１つのコンポーネントキャリアは、アップリンクキャリアまたはダウンリンクキャリアのいずれかであることを特徴とする実施形態２１のＷＴＲＵ。
【００９８】
２３、前記プロセッサは、コンポーネントキャリア上でＤＲＸを行い、前記コンポーネントキャリア上のＤＲＸパターンは、互いに重複しないことを特徴とする実施形態２１乃至２２のいずれかにおけるＷＴＲＵ。
【００９９】
２４、前記プロセッサは、異なる場所と関連する前記重複しないＤＲＸパターンに従ってコンポーネントキャリア上の複数の場所から受信するように構成されることを特徴とする実施形態２３のＷＴＲＵ。
【０１００】
２５、前記プロセッサは、他のコンポーネントキャリアが非アクティブな間に１つのコンポーネントキャリア上のターゲットセルにおいてランダムアクセス手順を行うように構成されることを特徴とする実施形態２１乃至２４のいずれかにおけるＷＴＲＵ。
【０１０１】
２６、前記プロセッサは、コンポーネントキャリア上でＤＲＸを行うように構成され、前記コンポーネントキャリア上のＤＲＸパターンは、互いに重複しないことを特徴とする実施形態２１乃至２５のいずれかにおけるＷＴＲＵ。
【０１０２】
２７、前記プロセッサは、少なくとも１つのコンポーネントキャリア上のＣｏＭＰアクティブセット内の複数のセルからダウンリンク伝送を受信するように構成され、およびダウンリンク伝送および／またはアップリンク伝送用にアンカーセルから受信される制御チャネルに対するハンドオーバーを行うことを特徴とする実施形態２１乃至２６のいずれかにおけるＷＴＲＵ。
【０１０３】
２８、前記プロセッサは、前記ダウンリンク伝送を前記ＣｏＭＰアクティブセット内いずれのセルからも受信することができない場合に、ダウンリンクのトラフィックチャネルに対するハンドオーバーを行うように構成されることを特徴とする実施形態２７のＷＴＲＵ。
【０１０４】
２９、前記プロセッサは、前記ＣｏＭＰアクティブセットを認識し、およびトラフィックチャネルに対するハンドオーバーを行うことを特徴とする実施形態２７乃至２８のいずれかにおけるＷＴＲＵ。
【０１０５】
３０、前記プロセッサは、少なくとも１つのコンポーネントキャリア上のＣｏＭＰアクティブセット内の複数のセルにアップリンク伝送を伝送し、および前記アップリンク伝送を前記ＣｏＭＰアクティブセット内いずれのセルにおいても受信することができない場合にアップリンクのトラフィックチャネルに対するハンドオーバーを行うように構成されることを特徴とする実施形態２１乃至２９のいずれかにおけるＷＴＲＵ。
【０１０６】
３１、少なくとも１つのコンポーネントキャリアに対する測定を行い、および前記測定をレポートするように構成されることを特徴とする実施形態２１乃至３０のいずれかにおけるＷＴＲＵ。
【０１０７】
３２、前記プロセッサは、前記複数のコンポーネントキャリア用のパラメータを含むＲＲＣメッセージを受信するように構成されることを特徴とする実施形態２１乃至３１のいずれかにおけるＷＴＲＵ。
【０１０８】
３３、前記ＲＲＣメッセージは、個別ＲＡＣＨプリアンブルを有するコンポーネントキャリアの第１のグループおよび競合ベースのＲＡＣＨプリアンブルを有するコンポーネントキャリアの第２のグループを含み、前記プロセッサがコンポーネントキャリアを選択して前記グループのうちの１つからハンドオーバーを開始できるようにすることを特徴とする実施形態３２のＷＴＲＵ。
【０１０９】
特徴および要素について、特定の組み合わせにおいて上述しているが、それぞれの特徴または要素を、他の特徴および要素を用いずに単独で、または他の特徴および要素の有無にかかわらずさまざまな組み合わせにおいて使用することができる。本明細書で提供された方法またはフローチャートは、汎用コンピュータまたはプロセッサによって実行するためのコンピュータ可読ストレージ媒体に組み込まれるコンピュータプログラム、ソフトウェア、またはファームウェアに実装されてもよい。コンピュータ可読ストレージ媒体の例は、読み出し専用メモリ（ＲＯＭ）、ランダムアクセスメモリ（ＲＡＭ）、レジスタ、キャッシュメモリ、半導体メモリデバイス、内部ハードディスクおよびリムーバブルディスクなどの磁気媒体、磁気光媒体、ならびにＣＤ−ＲＯＭディスクなどの光媒体およびデジタル多用途ディスク（ＤＶＤ）を含む。
【０１１０】
適するプロセッサは、例として、汎用プロセッサ、専用プロセッサ、従来型プロセッサ、デジタル信号プロセッサ（ＤＳＰ）、複数のマイクロプロセッサ、ＤＳＰコアと連動する１または複数のマイクロプロセッサ、コントローラ、マイクロコントローラ、特定用途集積回路（ＡＳＩＣ）、特定用途向け標準品（ＡＳＳＰ）、現場プログラム可能ゲートアレイ（ＦＰＧＡ）回路、その他のタイプの集積回路（ＩＣ）、および／またはステートマシンを含む。
【０１１１】
ソフトウェアと連動するプロセッサは、無線送受信ユニット（ＷＴＲＵ）、ユーザ機器（ＵＥ）、端末、基地局、モビリティ管理エンティティ（ＭＭＥ）または進化型パケットコア（ＥＰＣ）に使用するための無線周波数トランシーバ、または任意のホストコンピュータを実装するのに使用されてもよい。ＷＴＲＵは、モジュールと共に使用されてもよく、ソフトウェアラジオ（ＳＤＲ）、およびカメラ、ビデオカメラモジュール、ビデオフォン、スピーカフォン、振動デバイス、スピーカ、マイクロフォン、テレビトランシーバ、ハンズフリーヘッドセット、キーボード、Ｂｌｕｅｔｏｏｔｈ（登録商標）モジュール、周波数変調（ＦＭ）無線ユニット、近距離通信（ＮＦＣ）モジュール、液晶表示（ＬＣＤ）ディスプレイユニット、有機発光ダイオード（ＯＬＥＤ）ディスプレイユニット、デジタル音楽プレーヤ、メディアプレーヤ、ビデオゲームプレーヤモジュール、インターネットブラウザ、および／または任意の無線ローカルエリアネットワーク（ＷＬＡＮ）または超広帯域（ＵＷＢ）モジュールなどの他のコンポーネントを含むハードウェアおよび／またはソフトウェアに実装されてもよい。
【図１Ａ】
2015146656.tif 000003
【図１Ｂ】
2015146656.tif 000004
【図１Ｃ】
2015146656.tif 000005
【図２Ａ】
2015146656.tif 000006
【図２Ｂ】
2015146656.tif 000007
【図３】
2015146656.tif 000008
【図４】
2015146656.tif 000009
【図５】
2015146656.tif 000010
【図６Ａ】
2015146656.tif 000011
【図６Ｂ】
2015146656.tif 000012
【図７Ａ】
2015146656.tif 000013
【図７Ｂ】
2015146656.tif 000014
【図８】
2015146656.tif 000015
【図９】
2015146656.tif 000016
【図１０Ａ】
2015146656.tif 000017
【図１０Ｂ】
2015146656.tif 000018
【図１１Ａ】
2015146656.tif 000019
【図１１Ｂ】
2015146656.tif 000020
【図１２】
2015146656.tif 000021